(57)【要約】      （修正有）【課題】魚を容易且つ確実に挟持することができるフィッシュグリップを提供する。【解決手段】基端側に把持部１０ａを有するベース部材１０と、ベース部材１０に回動軸２２を介して回動可能に支持され回動軸２２を挟んで基端側に操作部２４を有し先端側に挟持部２６を有する可動部材２０と、ベース部材１０に支持され先端側に挟持部３６を備える保持部材３０と、可動部材２０と保持部材３０との間に付勢力を生じさせるばね部材４０とを備え、ばね部材４０の付勢力により可動部材２０および保持部材３０の挟持部２６，３６同士が閉じられ、前記付勢力に抗した操作部２４の操作により挟持部２６，３６間を拡げることが可能なフィッシュグリップ１であって、保持部材３０は、ベース部材１０に回動可能に支持され、保持部材３０の回動範囲を、可動部材２０の回動範囲よりも小さくなるように規制する規制部材３５が、ベース部材１０に固定されている。【選択図】図１
0003178963.tif 000002
【実用新案登録請求の範囲】
【請求項１】
基端側に把持部を有するベース部材と、
前記ベース部材に回動軸を介して回動可能に支持され、前記回動軸を挟んで基端側に操作部を有し先端側に挟持部を有する可動部材と、
前記ベース部材に支持され先端側に挟持部を備える保持部材と、
前記可動部材と前記保持部材との間に付勢力を生じさせるばね部材とを備え、
前記ばね部材の付勢力により前記可動部材および保持部材の前記挟持部同士が閉じられると共に、前記付勢力に抗した前記操作部の操作により前記挟持部間を拡げることが可能なフィッシュグリップであって、
前記保持部材は、前記ベース部材に回動可能に支持されており、
前記保持部材の回動範囲を、前記可動部材の回動範囲よりも小さくなるように規制する規制部材が、前記ベース部材に固定されているフィッシュグリップ。
【請求項２】
前記保持部材は、回動方向に沿って延びる長孔を有しており、
前記規制部材は、前記長孔に挿通される突部からなる請求項１に記載のフィッシュグリップ。
【請求項３】
前記保持部材に対して閉方向への前記可動部材の回動を許容しつつ、開方向への前記可動部材の回動を不能にするロック部材を更に備える請求項１または２に記載のフィッシュグリップ。
【考案の詳細な説明】
【技術分野】
【０００１】
本考案は、魚の口を挟持するフィッシュグリップに関する。
【背景技術】
【０００２】
釣り上げた魚から釣針を外す等の作業を容易にするため、魚の下顎を挟んで持ち上げることができるフィッシュグリップが従来から知られている。例えば、特許文献１に開示されたフィッシュグリップは、ツールバーの基端側に回動可能に連結されたグリップを備えており、ツールバーの先端側にわに口が設けられている。わに口は、ツールバーに固定された固定爪と、ツールバーに回動可能に設けられた可動爪とを備えており、スプリング（図示せず）の付勢力により可動爪が固定爪に押し付けられてわに口が閉じた状態から、アクチュエータの操作により可動爪を回動させてわに口を開くことにより、魚の口を挟むことができる。
【先行技術文献】
【特許文献】
【０００３】
【特許文献１】特開２０１０−４８１６号公報
【考案の概要】
【考案が解決しようとする課題】
【０００４】
ところが、上記従来のフィッシュグリップは、わに口を構成する一対の爪が、それぞれ固定爪および可動爪から構成されるため、わに口で挟持した魚が暴れた場合に、可動爪のみが回動してわに口が開きやすくなり、挟持した魚が、わに口から外れて落下し易いという問題があった。
【０００５】
また、これを解消するために、スプリングにより可動爪に作用させる付勢力を大きくしたり、或いは、挟持後に可動爪を回動不能にロックする機構を設けた場合には、挟持した魚の動きがグリップに直接伝わるため、使用者がグリップを持ち続けることが困難になる場合があり、グリップから手を放してしまうおそれもあった。
【０００６】
そこで、本考案は、魚を容易且つ確実に挟持することができるフィッシュグリップの提供を目的とする。
【課題を解決するための手段】
【０００７】
本考案の前記目的は、基端側に把持部を有するベース部材と、前記ベース部材に回動軸を介して回動可能に支持され、前記回動軸を挟んで基端側に操作部を有し先端側に挟持部を有する可動部材と、前記ベース部材に支持され先端側に挟持部を備える保持部材と、前記可動部材と前記保持部材との間に付勢力を生じさせるばね部材とを備え、前記ばね部材の付勢力により前記可動部材および保持部材の前記挟持部同士が閉じられると共に、前記付勢力に抗した前記操作部の操作により前記挟持部間を拡げることが可能なフィッシュグリップであって、前記保持部材は、前記ベース部材に回動可能に支持されており、前記保持部材の回動範囲を、前記可動部材の回動範囲よりも小さくなるように規制する規制部材が、前記ベース部材に固定されているフィッシュグリップにより達成される。
【０００８】
このフィッシュグリップにおいて、前記保持部材は、回動方向に沿って延びる長孔を有しており、前記規制部材は、前記長孔に挿通される突部からなる構成にすることができる。また、前記保持部材に対して閉方向への前記可動部材の回動を許容しつつ、開方向への前記可動部材の回動を不能にするロック部材を更に備えることができる。
【考案の効果】
【０００９】
本考案のフィッシュグリップによれば、魚を容易且つ確実に挟持することができる。
【図面の簡単な説明】
【００１０】
【図１】本考案の一実施形態に係るフィッシュグリップを一部破断して示す平面図である。
【図２】図１に示すフィッシュグリップを開いた状態を示す平面図である。
【図３】図２に示すフィッシュグリップを閉じた後の状態の一例を示す平面図である。
【考案を実施するための形態】
【００１１】
以下、本考案の一実施形態について添付図面を参照しつつ説明する。図１は、本考案の一実施形態に係るフィッシュグリップを一部破断して示す平面図である。図１に示すように、フィッシュグリップ１は、ベース部材１０と、可動部材２０と、保持部材３０と、ばね部材４０とを備えている。
【００１２】
ベース部材１０は、平板状の上板１２および下板１４を備えており、これら上板１２と下板１４との間に、可動部材２０、保持部材３０およびばね部材４０が配置されている。ベース部材１０の基端側には、上板１２と下板１４との間に枠体１６が介在されており、この枠体１６が介在された部分がベース部材１０の把持部１０ａを構成している。図１においては、上板１２の一部を切り欠くことにより、枠体１６の一部、可動部材２０、保持部材３０およびばね部材４０を露出させた状態で示している。
【００１３】
可動部材２０は、回動軸２２を介して上板１２および下板１４に回動可能に支持されている。可動部材２０は、回動軸２２を挟んで基端側に操作部２４を有し、先端側に挟持部２６を有している。操作部２４は、ベース部材１０から外方に突出するように設けられており、把持部１０ａを把持した手の親指で操作することにより、可動部材２０を回動させることができる。
【００１４】
保持部材３０は、可動部材２０の回動軸２２よりも先端側に配置された回動軸３２を介して、上板１２および下板１４に回動可能に支持されている。保持部材３０は、基端部３１と回動軸３２との間に、回動方向に沿って延びる長孔３４が形成されており、上板１２と下板１４との間に固定されたピン状の突部からなる規制部材３５が長孔３４に挿通されることで、保持部材３０の回動範囲が規制されている。保持部材３０の先端側には挟持部３６が設けられており、可動部材２０を閉じた時に、可動部材２０および保持部材３０の挟持部２６，３６同士が当接するように構成されている。
【００１５】
規制部材３５は、保持部材３０の回動範囲を、可動部材２０の回動範囲よりも小さく規制するようにベース部材１０に固定されたものであれば、必ずしも本実施形態のものには限定されない。例えば、保持部材３０の回動時に保持部材３０の外縁と当接するように、規制部材３５を上板１２と下板１４との間に設けることも可能であり、この場合は、長孔３４を形成しない構成であってもよい。
【００１６】
ばね部材４０は、本実施形態においては、ねじりばねから構成されており、ねじりばねの両端部４４，４６が可動部材２０および保持部材３０にそれぞれ係合することで、可動部材２０と保持部材３０との間には、挟持部２６，３６を閉じる方向への付勢力が作用する。この状態においては、保持部材３０の長孔３４の内周縁が規制部材３５に係止されている。
【００１７】
また、本実施形態のフィッシュグリップ１は、可動部材２０および保持部材３０が閉じた状態を維持するためのロック部材１００を更に備えている。ロック部材１００は、回動軸１０２を介して上板１２および下板１４に回動可能に支持されており、回動軸１０２を挟んで両側に、係合部１１０および操作部１２０を備えている。
【００１８】
係合部１１０は、ロック部材１００の回動により、可動部材２０の基端部２８の内側に係合可能となるように形成されている。可動部材２０は、回動自在の状態から、ロック部材１００の操作部１２０の操作により基端部２８が係合部１１０と係合すると、保持部材３０に対して開方向への回動が不能になる一方、保持部材３０に対して閉方向への回動は制約を受けないため、保持部材３０の動きに拘わらず、ばね部材４０の付勢力によって挟持部２６，３６間が閉じた状態が維持される。ロック部材１００と枠体１６との間には、ねじりばね１３０が介在されており、ねじりばね１３０の付勢力により、基端部２８と係合部１１０との係合状態を確実に維持することができる。
【００１９】
可動部材２０の基端部２８の近傍には、係合部１１０が係合可能な複数の凹部２９が回動方向に沿って形成されており、肉厚のものを挟持する場合には、係合部１１０を凹部２９のいずれかと係合させることにより、挟持部２６，３６間に所望の大きさの間隙をあけて可動部材２０を固定することができる。但し、凹部２９は、本発明において必須のものではなく、凹部２９を備えない構成であってもよい。操作部１２０は、ベース部材１０から外方に突出しており、可動部材２０の操作部２４の基端側に隣接するように配置されている。
【００２０】
上記の構成を備えるフィッシュグリップ１は、図１に示す状態からロック部材１００を矢示Ａ方向に回動させて、可動部材２０との係合状態を解除した後、操作部２４を押圧して可動部材２０を矢示Ｂ方向に回動させることにより、図２に示すように、可動部材２０を回動させて挟持部２６，３６間を拡げることができる。そして、釣り上げた魚の下顎等（図示せず）を挟持部２６，３６間に挿入し、操作部２４の押圧を緩めて可動部材２０を矢示Ｃ方向に回動させることにより、挟持部２６，３６間に魚を挟持した後、ロック部材１００を矢示Ｄ方向に回動させて再び図１に示す状態になると、可動部材２０は開方向へ移動不能となり、挟持部２６，３６間を閉じた状態が維持される。
【００２１】
本実施形態のフィッシュグリップ１によれば、保持部材３０に作用するばね部材４０の付勢力によって、可動部材２０の回動中は長孔３４の内周縁が規制部材３５に当接した状態が維持されるため、可動部材２０のみが回動し、保持部材３０は回動しない。したがって、固定状態にある保持部材３０を魚の口に挿入して、可動部材２０の開閉により魚を挟持することができるため、固定爪および可動爪を備える従来の構成と同様に、魚の挟持を容易に行うことができる。
【００２２】
魚を挟持した後の可動部材２０および保持部材３０は、ばね部材４０の付勢力によって挟持部２６，３６間を閉じた状態を維持したまま、図３に破線で示す位置と実線で示す位置との間で回動可能である。したがって、把持部１０ａを把持して魚を吊り下げた際に魚が暴れても、可動部材２０および保持部材３０が上記の回動範囲で揺動することにより、魚の挟持を維持しつつ、把持部１０ａに伝わる衝撃力を緩和することができる。したがって、フィッシュグリップ１を落とすおそれがなく、魚を確実に挟持することができる。保持部材３０の回動範囲は、魚の動きを吸収できる程度に確保されていることが好ましく、例えば、図３に示す挟持部３６の移動幅ｗが、３〜４ｍｍ程度であることが好ましい。長孔３４の長さは、保持部材３０の回動範囲を考慮して、適宜設定される。
【００２３】
また、ロック部材１００を設けることにより、挟持した魚が暴れた時に、可動部材２０が保持部材３０に対して閉じる方向への回動（すなわち、保持部材３０の開きに追従する方向への回動）を許容しつつ、可動部材２０が保持部材３０に対して開く方向への回動は不能にすることができるので、上述した衝撃緩和の効果を妨げることなく、魚をより確実に挟持することができる。
【符号の説明】
【００２４】
１  フィッシュグリップ
１０  ベース部材
１０ａ  把持部
２０  可動部材
２２  回動軸
２４  操作部
２６  挟持部
３０  保持部材
３２  回動軸
３４  長孔
３５  規制部材
３６  挟持部
４０  ばね部材
１００  ロック部材
【図１】
0003178963.tif 000003
【図２】
0003178963.tif 000004
【図３】
0003178963.tif 000005